(57)【要約】      （修正有）【課題】立て掛けた本を押え、本の前倒れを防止することのできるバネ式本支持具を提供する。【解決手段】本展示装置に立て掛けられた本を押えるためのバネ式本支持具であって、前記本展示装置に取り付けられる後部支持連結部１と、本を前方に押し出す圧縮部２と、後部支持連結部１と圧縮部２との間に設けられる弾性部３とを備えていることを特徴とする。【選択図】図１
0003145490.tif 000002
【実用新案登録請求の範囲】
【請求項１】
本展示装置に立て掛けられた本を押えるためのバネ式本支持具であって、
前記本展示装置に取り付けられる後部支持連結部と、本を前方に押し出す圧縮部と、前記後部支持連結部と前記圧縮部との間に設けられる弾性部とを備えていることを特徴とするバネ式本支持具。
【請求項２】
前記弾性部は、捩りバネであり、前記後部支持連結部は枠により構成され、前記圧縮部は圧縮アーム構造を成している請求項１に記載のバネ式本支持具。
【請求項３】
前記弾性部は、伸縮バネであり、前記後部支持連結部は板状に形成され、前記圧縮部は圧縮板が前後に可動する構造を成している請求項１に記載のバネ式本支持具。
【請求項４】
前記後部支持連結部と前記本展示装置とは、ネジ・リベット式又は引っ掛け式により連結されている請求項１に記載のバネ式本支持具。
【請求項５】
前記圧縮部は、水平方向の圧縮構造を備えている請求項２に記載のバネ式本支持具。
【請求項６】
前記圧縮部は、垂直方向の圧縮構造を備えている請求項２に記載のバネ式本支持具。
【請求項７】
前記後部支持連結部と前記圧縮部とは捩りバネにより連結され、該捩りバネの両端において延出する腕がそれぞれ前記後部支持連結部と前記圧縮部に掛止されており、前記圧縮部は、前記捩りバネの弾性作用によって前方に押し出されるように構成されている請求項２に記載のバネ式本支持具。
【請求項８】
前記後部支持連結部と前記圧縮部とは伸縮バネにより連結され、前記圧縮部は、前記伸縮バネの弾性作用によって前方に押し出されるように構成されている請求項３に記載のバネ式本支持具。
【考案の詳細な説明】
【技術分野】
【０００１】
本考案は、ラックに立て掛けられたフリーペーパーや雑誌等の本を押えるためのバネ式本支持具に関する。
【背景技術】
【０００２】
現在、駅の改札口やコンビニエンスストア等において、フリーペーパーや雑誌等の本を立て掛けるためにラックが使用されている。
【考案の開示】
【考案が解決しようとする課題】
【０００３】
しかしながら、上記した従来のラックでは、ラック内の空間が比較的大きいため、本が少なくなった場合には、立て掛けた本が前倒れを起こすなどの乱れが起こりやすいといった問題があった。
【０００４】
さらに、このような本の前倒れを避けるため、本展示装置の収容量を小さくせざるをえないといった問題もあった。
【０００５】
本考案は、上記した課題を解決すべくなされたものであり、立て掛けた本を押え、本の前倒れを防止することができると共に、本の収容量を任意の大きさに設定することのできるバネ式本支持具を提供することを目的とするものである。
【課題を解決するための手段】
【０００６】
上記した目的を達成するため、本考案は、本展示装置に立て掛けられた本を押えるためのバネ式本支持具であって、前記本展示装置に取り付けられる後部支持連結部と、本を前方に押し出す圧縮部と、前記後部支持連結部と前記圧縮部との間に設けられる弾性部とを備えていることを特徴とする。
【０００７】
前記弾性部は、捩りバネであり、前記後部支持連結部は枠により構成され、前記圧縮部は圧縮アーム構造を成していてもよい。
【０００８】
前記弾性部は、伸縮バネであり、前記後部支持連結部は板状に形成され、前記圧縮部は圧縮板が前後に可動する構造を成していてもよい。
【０００９】
前記後部支持連結部と前記本展示装置とは、ネジ・リベット式又は引っ掛け式により連結されていてもよい。
【００１０】
前記圧縮部は、水平方向の圧縮構造又は垂直方向の圧縮構造を備えていてもよい。
【００１１】
前記後部支持連結部と前記圧縮部とは捩りバネにより連結され、該捩りバネの両端において延出する腕がそれぞれ前記後部支持連結部と前記圧縮部に掛止されており、前記圧縮部は、前記捩りバネの弾性作用によって前方に押し出されるように構成されていてもよい。
【００１２】
前記後部支持連結部と前記圧縮部とは伸縮バネにより連結され、前記圧縮部は、前記伸縮バネの弾性作用によって前方に押し出されるように構成されていてもよい。
【００１３】
バネ式本支持具の特徴は、以下の内容を備えていることである。
（１）弾性を利用して圧縮部を本展示装置に取り付けている。
（２）本展示装置に立て掛けられた本を、弾性を利用して圧縮部に接触させている。
（３）弾性の圧力を利用し、圧縮部を常に最上部或いは最後部の本に接触させている。
【考案の効果】
【００１４】
本考案によれば、
（１）バネ式本支持具と本展示装置とを合わせて使用し、本を常に後ろから押さえ続けることにより、本の減少に伴って本を前方向へ押し出し続けることができ、整理された状態を保ち続け、前倒れなどの事態を防ぐことができる、
（２）屋外など風の強い場所に設置したとき、本が風に吹かれて乱れることを防ぎ、整理された状態を保ち続けることができる、
（３）圧縮部のアームの先端には広告や情報を提示するものを貼り付けることができ、読者に本に関する情報を提供することができる、
（４）本を常に前方向へ押し出すことにより、本の表紙をより効果的に展示することができるため、本の認知度をさらに高めることができる、
（５）本の収容量を大きくしても本の倒れが生じないため、本展示装置の本の収容量を任意の大きさに設定することができ、設計の自由度を高めることができる、
等、種々の優れた効果を得ることができる。
【考案を実施するための最良の形態】
【００１５】
本考案に係るバネ式本支持具の特徴は、後部支持連結部１と、圧縮部２と、弾性部３とから構成されており、後部支持連結部１と圧縮部２とはその間に設けられる弾性部３によって連結されている。後部支持連結部１には、バネ式本支持具と本展示装置５とを連結するための連結部４が設けられている。
【００１６】
前記弾性部３は、捩りバネ３−１、伸縮バネ３−２、板状バネのいずれかである。
【００１７】
前記後部支持連結部１と圧縮部２の形状は弾性部３によって決定される。捩りバネ３−１の場合は、本展示装置５と圧縮アーム構造となり、伸縮性バネの場合は圧縮板が前後に可動する構造となる。
【００１８】
前記連結部４は、ネジ・リベット式もしくは引っ掛け式である。
【００１９】
前記本展示装置５は、ラックもしくは本棚である。
【００２０】
前記捩りバネ３−１を採用した場合のラックと圧縮アーム構造は水平方向の圧縮構造と垂直方向の圧縮構造の２種類に分けられる。また、水平方向の圧縮構造はシングルアーム構造とダブルアームクロス構造に分けられる。
【００２１】
（実施例１）
このバネ式本支持具は、後部支持連結部１と、圧縮部２と、弾性部３とから構成されており、後部支持連結部１と圧縮部２とはその間に設けられる弾性部３によって連結されている。後部支持連結部１には、バネ式本支持具と本展示装置５とを連結するための連結部４が設けられている。
【００２２】
具体的には、図１に示すように、弾性部３として捩りバネ３−１を使用しており、水平方向の弾性力を利用している。後部支持連結部１のラックポケット枠１−１上には水平な横架部１−１−１が設けられている。後部支持連結部１のラックポケット枠１−１と圧縮部２のアーム２−１の連結部は細い軸１−１−２が中空管２−１−１を通る構造を有している。捩りバネ３−１のバネ本体はこの中空管２−１−１と細い軸１−１−２の外側に位置し、捩りバネ３−１の両端において延出する腕３−１−１と３−１−２がそれぞれ後部支持連結部１のラックポケット枠１−１の横架部１−１−１と圧縮部２のアーム２−１の横架部２−１−２に掛止されている。圧縮部２上の圧縮板２−２は圧縮部２のアーム２−１の先端に設けられ、捩りバネ３−１の弾性作用によって前方に押し出されるようになっている。この本支持具は連結部４によって本展示装置５の後部に設けられている。
【００２３】
（実施例２）
バネ式本支持具は、後部支持連結部１と、圧縮部２と、弾性部３とから構成されており、後部支持連結部１と圧縮部２とはその間に設けられる弾性部３によって連結されている。後部支持連結部１には、バネ式本支持具と本展示装置５とを連結するための連結部４が設けられている。
【００２４】
具体的には、図２に示すように、弾性部３として捩りバネ３−１を使用しており、垂直方向の弾性力を利用している。後部支持連結部１のラックポケット枠１−１上に水平方向の横架部１−１−１が設けられている。後部支持連結部１のラックポケット枠１−１と圧縮部２のアーム２−１の連結部は細い軸１−１−２が中空管２−１−１を通る構造を有している。捩りバネ３−１のバネ本体はこの中空管２−１−１と細い軸１−１−２の外側に位置し、捩りバネ３−１の両端において延出する腕３−１−１と３−１−２がそれぞれ後部支持連結部１のラックポケット枠１−１の横架部１−１−１と圧縮部２のアーム２−１の横架部２−１−２に掛止されている。圧縮部２上の圧縮板２−２は圧縮部２のアーム２−１の先端に設けられ、捩りバネ３−１の弾性作用によって前方に押し出されるようになっている。この本支持装具は連結部４によって本展示装置５の後部に設けられている。
【００２５】
（実施例３）
バネ式本支持具は、後部支持連結部１と、圧縮部２と、弾性部３とから構成されており、後部支持連結部１と圧縮部２とはその間に設けられる弾性部３によって連結されている。後部支持連結部１には、バネ式本支持具と本展示装置５とを連結するための連結部４が設けられている。
【００２６】
具体的には、図３に示すように、弾性部３として捩りバネ３−１を使用しており、水平方向の弾性力を利用している。後部支持連結部１のラックポケット枠１−１上に水平方向の横架部１−１−１がある。後部支持連結部１のラックポケット枠１−１と圧縮部２のアーム２−１の連結部は、細い軸１−１−２が中空管２−１−１を通る構造を有している。捩りバネ３−１のバネ本体はこの中空管２−１−１と細い軸１−１−２の外側に位置し、捩りバネ３−１の両端において延出する腕３−１−１と３−１−２がそれぞれ後部支持連結部１のラックポケット枠１−１の横架部１−１−１と圧縮部２のアーム２−１の横架部２−１−２に掛止されている。圧縮部２の圧縮板２−２はそれぞれ圧縮部２のアーム２−１の各先端に設けられ、捩りバネ３−１の弾性作用によって前方に押し出されるようになっている。この本支持具は連結部４によって本展示装置4の中央部に設けられている。
【００２７】
（実施例４）
バネ式本支持具は、後部支持連結部１と、圧縮部２と、弾性部３とから構成されており、後部支持連結部１と圧縮部２とはその間に設けられる弾性部３によって連結されている。後部支持連結部１には、バネ式本支持具と本展示装置５とを連結するための連結部４が設けられている。
【００２８】
前記伸縮バネ３−２を採用した前後圧縮構造の水平方向の圧縮構造は図４の通りであり、伸縮バネ３−２の一端を板状の後部支持連結部１の中心に設置し、他端を板状の圧縮部２の中心に設置する。圧縮部２は弾性部３の先端に設けられ、伸縮バネ３−２の弾性作用によって前方に押し出されるようになっている。この本支持具の連結部４は後部支持連結部１の後部と本展示装置５とを連結している。
【図面の簡単な説明】
【００２９】
【図１】本考案の実施の形態に係るバネ式本支持具の一例を示し、（ａ）はバネ式本支持具の側面図、（ｂ）はバネ式本支持具の斜視図、（ｃ）はバネ式本支持具をラックに取り付けた状態を示す斜視図である。
【図２】本考案の実施の形態に係るバネ式本支持具の他の一例を示し、（ａ）はバネ式本支持具の側面図、（ｂ）はバネ式本支持具の斜視図、（ｃ）はバネ式本支持具をラックに取り付けた状態を示す斜視図である。
【図３】本考案の実施の形態に係るバネ式本支持具のさらに他の一例を示し、（ａ）はバネ式本支持具の斜視図、（ｂ）はバネ式本支持具をラックに取り付けた状態を示す斜視図である。
【図４】本考案の実施の形態に係るバネ式本支持具の他の一例を示し、（ａ）はバネ式本支持具の側面図、（ｂ）はバネ式本支持具の斜視図、（ｃ）はバネ式本支持具の斜視図、（ｄ）はバネ式本支持具をラックに取り付けた状態を示す斜視図である。
【符号の説明】
【００３０】
１          後部支持連結部
２          圧縮部
３          弾性部
４          連結部
５          本展示装置（ラックポケットまたは本棚）
１−１      ラックポケット枠
１−１−１  横架部
１−１−２  細い軸
２−１      アーム
２−１−１  中空管
２−１−２  横架部
２−２      圧縮板
３−１      捩りバネ
３−１−１  腕
３−１−２  腕
３−２      伸縮バネ
【図１】
0003145490.tif 000003
【図２】
0003145490.tif 000004
【図３】
0003145490.tif 000005
【図４】
0003145490.tif 000006